(57)【要約】【課題】打球時のボールのスピン量を安定的に確実に増大することができ、打球したゴルフボールの飛距離と操作性との安定化を図ることのできるゴルフクラブを提供すること【解決手段】ゴルフクラブヘッド１２のフェース１６の打球面１４と、この打球面１４にスコアライン２０を形成する凹溝の側面２０ｂとの間の縁部４０の表面を、前記打球面１４よりも大きな粗度に形成したゴルフクラブ。【選択図】      図４
2012071213.tif 000002
【特許請求の範囲】
【請求項１】
ゴルフクラブヘッドのフェースの打球面と、この打球面にスコアラインを形成する凹溝の側面との間の縁部の表面を、前記打球面よりも大きな粗度に形成したことを特徴とするゴルフクラブ。
【請求項２】
ゴルフクラブヘッドのフェースの打球面と、この打球面に形成されたスコアラインの凹溝の側面との間の縁部の表面を、スコアラインの延在方向に沿う垂直断面内の粗度よりもスコアラインに直交する方向に沿う垂直断面内の粗度を大きく形成したことを特徴とするゴルフクラブ。
【請求項３】
前記縁部の表面に、このスコアラインに沿って延びる複数の微細な突条を形成したことを特徴とする請求項１又は２に記載のゴルフクラブ。
【請求項４】
前記縁部の表面は、凹溝の底面よりも表面硬度が高く形成されていることを特徴とする請求項１から３のいずれか１つに記載のゴルフクラブ。
【請求項５】
前記縁部の表面は湾曲面で形成され、前記打球面は、この湾曲面の外延部に隣接した部位に、互いに隣接する凹溝間の中央部位よりも凹溝の底面側に位置する平坦状部を有することを特徴とする請求項１から４のいずれか１つに記載のゴルフクラブ。
【発明の詳細な説明】
【技術分野】
【０００１】
本発明はゴルフクラブに関し、特に、ゴルフクラブヘッドのフェースの打球面にスコアラインを形成したゴルフクラブに関する。
【背景技術】
【０００２】
一般に、ゴルフボールのスピンは、飛距離および方向安定性に大きく作用する。このため、ゴルフボールのスピン量を最適化する種々の提案がなされている。
【０００３】
例えば、スコアラインを形成する溝部の側壁上端部に丸みを付与し、側壁上端部が尖った場合よりも打球時にボールに与えるスピン量を抑制するゴルフクラブヘッドがある（例えば特許文献１参照）。
【０００４】
また、平面加工を行った打球面にスコアラインを設け、この後は、研磨加工を一切行わず、エッジ周辺に沿う盛り上がりをブラスト加工で除去する工程のみを行い、スコアラインのエッジを十分に残し、ボールに十分なバックスピンを与えることのできるアイアンゴルフクラブヘッドの製造方法が開発されている（例えば特許文献２参照）。
【０００５】
更に、ボールの打ち出し角度を大きくしつつバックスピン量を低減して飛距離を増大するため、フェースライン溝の深さや溝幅を所定の範囲に形成するウッド型ゴルフクラブが提案されている（例えば特許文献３参照）。
【先行技術文献】
【特許文献】
【０００６】
【特許文献１】特開２００５−２７０５１７
【特許文献２】特開２００４−１４１２７７
【特許文献３】特開２００６−６１２０６
【発明の開示】
【発明が解決しようとする課題】
【０００７】
しかし、上述のような従来のゴルフクラブのいずれも、スコアラインを形成する溝部の側壁と打球面との間のエッジに丸みがなく、シャープな程ボールとの滑りが抑制されてスピン量が増大するとの前提のもとになされており、その効果にも限度がある。特に、ゴルフルールでは、スコアラインの溝部に所定の丸みを付けることが規定されており、滑りの抑制効果も低減されることになる。
【０００８】
本発明は、このような事情に基づいてなされたもので、打球時のボールのスピン量を安定的に確実に増大することができ、打球したゴルフボールの飛距離と操作性との安定化を図ることのできるゴルフクラブを提供することを目的とする。
【課題を解決するための手段】
【０００９】
上記目的を達成する本発明のゴルフクラブは、ゴルフクラブヘッドのフェースの打球面と、この打球面にスコアラインを形成する凹溝の側面との間の縁部の表面を、前記打球面よりも大きな粗度に形成したことを特徴とする。
【００１０】
更に、ゴルフクラブヘッドのフェースの打球面と、この打球面に形成されたスコアラインの凹溝の側面との間の縁部の表面を、スコアラインの延在方向に沿う垂直断面内の粗度よりもスコアラインに直交する方向に沿う垂直断面内の粗度を大きく形成したゴルフクラブが提供される。
【００１１】
前記縁部の表面に、このスコアラインに沿って延びる複数の微細な突条を形成することが好ましい。
【００１２】
また、前記縁部の表面は、凹溝の底面よりも表面硬度が高く形成されていることが好ましい。
【００１３】
更に、前記縁部の表面は湾曲面で形成され、前記打球面は、この湾曲面の外延部４０ａに隣接した部位に、互いに隣接する凹溝間の中央部位よりも凹溝の底面側に位置する平坦状部を有してもよい。
【発明の効果】
【００１４】
ゴルフクラブヘッドのフェースの打球面と、この打球面にスコアラインを形成する凹溝の側面との間の縁部の表面を、前記打球面よりも大きな粗度に形成したゴルフクラブでは、ゴルフボールに対するヘッドスピードが大きくなるほど、スコアラインの縁部の表面にボールが強く接触し、打球面よりも粗度の大きなこの縁部の表面により十分なスピン量を確保し易く、逆に、ヘッドスピードが小さくなるほど、縁部の表面との接触力が小さくなり、スピン量を少なくし、ボールの飛距離の減少を抑制することができ、これにより、飛距離が安定化すると共にボールをコントロールし易くなり、打ち易く操作し易いゴルフクラブを形成することができる。
【００１５】
更に、ゴルフクラブヘッドのフェースの打球面と、この打球面に形成されたスコアラインの凹溝の側面との間の縁部の表面を、スコアラインの延在方向に沿う垂直断面内の粗度よりもスコアラインに直交する方向に沿う垂直断面内の粗度を大きく形成したゴルフクラブでは、上述のように飛距離を安定させ、操作し易い効果に加え、打球時のフェースの動きがアウトサイドからインサイドへ、又は、インサイドからアウトサイドに移動しても、スライス方向やフック方向へのボールの曲がりを少なくし、方向安定性を確保することができる。
【００１６】
また、縁部の表面に、スコアラインに沿って延びる複数の微細な突条を形成した場合、縁部の表面を凹溝の底面よりも表面硬度を高く形成した場合、又は、湾曲面で形成された縁部の外延部に隣接した部位に、互いに隣接する凹溝間の中央部位よりも凹溝の底面側に位置する平坦状部を有する場合にも、上述と同様に、飛距離および操作性の安定化を図り、更に、方向安定性を図ることができる。
【図面の簡単な説明】
【００１７】
【図１】本発明の好ましい実施形態によるゴルフクラブのゴルフクラブヘッドを示す図。
【図２】図１のＩＩ−ＩＩ線に沿う断面図。
【図３】図１のフェース部材の拡大断面図。
【図４】図１のスコアラインを形成する溝の拡大説明図。
【図５】他の実施形態による溝の拡大説明図。
【図６】更に他の実施形態による溝の拡大説明図。
【図７】更に他の実施形態による溝の拡大説明図。
【発明を実施するための最良の形態】
【００１８】
図１および図２は、本発明の好ましい実施形態によるゴルフクラブ１０を示す。
【００１９】
本実施形態のゴルフクラブ１０は、例えば繊維強化樹脂あるいは金属で中空構造に形成したシャフト８の先端に、基準水平面Ｆに対して規定のライ角αおよびロフト角β（図２）に設定してゴルフクラブヘッド１２を固着したアイアンヘッドクラブとして形成し、天然ゴムあるいは合成ゴム等の柔軟性や軟質材料で形成したグリップ（図示しない）を基端に取付けたアイアンクラブとして形成してある。ここに、ライ角αは、後述するソール部あるいは基準水平面Ｆに対するシャフトの軸線８ａの取付角度であり、ロフト角βは、後述するフェース１６の前面が、基準水平面Ｆに直交する垂直面Ｒとの間に形成する角度である。なお、ゴルフクラブヘッド１２は、いわゆるアイアンヘッドの他にも、中空構造のウッドタイプのゴルフクラブであってもよい。
【００２０】
本実施形態のゴルフクラブヘッド１２は、前面がゴルフボールＢの打球面１４あるいはフェース面を形成するフェース１６に、反発力を形成するフェース部材１８を配置してある。このフェース部材１８の前面には、ゴルフボールＢの打球面１４として好適な平坦面を形成する領域に沿って、略水平方向の浅い凹溝又等のトウ・ヒール方向に延びる多数のスコアライン２０を好適な手段で形成してある。このフェース部材１８は、ヘッド本体２２の前面側に形成した段部２２ａにより、フェース部材１８の前面とこのヘッド本体２２の前面とが面一状に連続する状態に固定される。
【００２１】
このフェース部材１８は、スコアライン２０を形成した打球面１４よりも外周側の部位の背面側を、ヘッド本体２２に形成したトップ２４側、トウ２６側、ヒール２８側およびソール３０側に段部２２ａに沿って平坦状に形成した支持面に当接させ、この周縁部をこのヘッド本体２２に溶接、ロウ付け（ブレージング）やカシメ等により一体的に固定することが好ましい。このようなフェース部材１８は、ゴルフボールに大きな反発力を作用させるために、例えばステンレス系合金、マルエージング鋼、チタンあるいはチタン合金等の高強度の金属材料製の圧延板として形成することができるが、ゴルフボールＢに好適なスピンを付与するために、例えばアルミ青銅等の柔らかい材料で形成することもできる。いずれの場合も打球面１４は単一の材質のもので形成する。
【００２２】
なお、フェース部材１８は、このような圧延材に限らず、例えば鍛造や高強度材料を本体と一体で作製した鋳造等の方法で形成したものでもよく、更に、その材料も例えば炭素鋼、バネ鋼、ジェラルミン、ベリリウム等の適宜の材料を用いることも可能である。また、フェース１６の打球面１４に形成するスコアライン２０は、図示のように基準水平面Ｆと平行な方向、又は、トウ２６およびヒール２８を結ぶトウ・ヒール方向に沿ってライン状に延びる溝状の形態に限らず、フェース１６側から見た平面視で小さな円形状又は点状の窪みの形態に形成されるパンチマーク（図示しない）をトウ・ヒール方向又はトップ・ソール方向に沿って複数個を配列させたものであってもよく、このような溝又は窪みの少なくとも一方の形態を有する凹部について、説明を簡略にするために、溝で形成されるスコアライン２０について説明する。
【００２３】
このフェース部材１８が前部に固定されるヘッド本体２２は、フェース１６の周辺部に沿って、トップ２４とソール３０とトウ２６とヒール２８とをフェース１６の背面からバック３２側に突出させ、前面側をフェース部材１８で閉じられかつバック３２側に開口するキャビティ３４を貫通形成あるいは区画するフレーム状に形成してある。ヒール３０には、シャフト８を取付けるホーゼル３６を突設してあり、このヒール２８から湾曲したトウ２６に向けてトップ２４が上方に延びる。このヘッド本体２２は、鉄系合金（例えば、ＳＵＳ６３０、ＳＵＳ４３１などのステンレス合金やマルエージング鋼、ニッケルやタングステンなどの合金）が比重が高く、高強度で好ましく、この他にもチタン合金等の金属に加え、このような金属と同様な強度を有するものであればその一部あるいは全体を繊維強化樹脂、繊維強化金属等で形成することも可能であり、したがって本発明のクラブヘッド１２にはこのような繊維強化樹脂あるいは繊維強化金属で形成されるものも含まれる。また、例えばヘッド本体２２を複数の材料を組合せて形成することも可能である。
【００２４】
本実施形態のヘッド本体２２は、トップ２４よりもソール３０側をバック３２側に大きく突出させた低重心構造を有する。そして、ソール３０には、フェース１６からバック３２側に離隔させて重量部３６を配置し、この重量部３６とフェース部材１８との間に溝状の間隙３８を形成する。この間隙３８は、打球時にフェース部材１８が撓んでも当接しない大きさに形成するのが好ましく、これにより、重量付加部３６をフェース部１２側に近接させ、スイートスポットＳ位置を効率よく下げることができ、地面に置いたゴルフボールの打球に好適なゴルフクラブヘッド１０に形成することができる。符号３６ａは、例えばタングステン等のヘッド本体２２よりも比重の大きな材料で形成し、重心位置を低くかつ後方に配置するためのウェイト部材を示す。
【００２５】
このようなゴルフクラブヘッド１２でゴルフボールＢを打球する際、フェース１６の打球面１４に当たったボールＢは、その衝撃で潰れた状態で変形しながらフェース１６上をトップ２４側に移動し、元の形状に戻ろうとする反発力でフェース１６から離れて飛んでいく。
【００２６】
図３に、フェース１６に形成される打球面１４のトップ２４およびソール３０を結ぶトップ・ヒール方向に沿う垂直断面を拡大して示すように、スコアライン２０を形成する凹溝と打球面１４との間に形成される縁部４０がトウ・ヒール方向に沿って、ゴルフボールＢの回転方向と直交する方向に延びている。打球時には、これらの縁部４０がゴルフボールＢの表面に接触し、この縁部４０との間に形成される摩擦抵抗でゴルフボールＢが回転する。したがって、ゴルフボールに与えられるスピン量は、凹溝の断面形状よりも、この縁部４０との間に形成される摩擦抵抗で大きく影響される。このため、スコアライン２０を形成する凹溝は、図示のような矩形断面形状に限らず、打球面１４側に拡大した三角形状又は半円形状等の適宜の断面形状に形成することができる。
【００２７】
なお、図５に示すように、スコアライン２０を形成する凹溝の深さすなわち打球面１４と底面２０ａとの間の距離Ｄは、０．５ｍｍ以下、打球面１４に対する３０度角を利用した測定法による接線との接着点Ｃ間の距離である幅Ｗは、０．９ｍｍ以下、縁部４０を形成する丸みの半径Ｒは０．５ｍｍ以下に形成し、隣接する凹溝との間隔は、幅Ｗの３倍以上でかつ１．９ｍｍ以上に形成する。また、平面視で小さな円形状又は点状の窪みの形態に形成される図示しないパンチマークの場合には、面積を２．８ｍｍ２  以下、深さを１．０ｍｍ以下、隣接するパンチマーク又は凹溝の中心位置間の距離を４．３ｍｍ以上に形成する。いずれの場合も、ゴルフルールによる規制を満たすものである。
【００２８】
図４は、更に拡大して打球面１４とスコアライン２０を形成する凹溝の側面との間の縁部の表面を示す。
【００２９】
本実施形態のスコアライン２０は、対向する側面２０ｂ間の幅寸法を０．５〜０．９ｍｍ程度の断面矩形状の凹溝で形成してある。更に、このスコアライン２０の凹溝の側面２０ａと平坦な打球面１４との間の縁部４０は、打球面１４側の外延部４０ａと側面２０ａ側の内縁部４０ｂとにわたって外方に凸状に膨出する湾曲面で形成してある。この湾曲面は、半径Ｒが０．１ｍｍ程度で、外延部４０ａと隣接する側面２０ｂとの間の距離ｈが０．１ｍｍ、内縁部４０ｂと打球面１４との間の距離ｖが０．１ｍｍ程度の範囲にわたって形成することが好ましく、この縁部４０の表面は、打球面１４よりも大きな粗度に形成してある。
【００３０】
具体的には、縁部４０の表面にスコアライン２０に沿って延びる線状に延びる複数本の微細な突条又は溝による微細凹凸４２が形成されている。この微細凹凸４２は、打球面１４よりも大きな粗度に形成してあるため、例えば深さが０．０５ｍｍ程度、間隔が０．０５ｍｍ程度に形成してあり、これにより、スコアライン２０の延在方向に沿う垂直断面内の粗度よりもスコアライン２０に直交する方向に沿う垂直断面内の粗度が大きく形成される。
【００３１】
このような微細凹凸４２は、適宜の方法で形成することができ、例えば荒引き加工、打こん入れ、荒削り、彫刻、刻印等によりりスコアライン２０を形成する際又は凹溝を形成した後に形成してもよく、鍛造や鋳造時に金型で形成することもできる。また、スコアライン２０の凹溝を形成した後に、Ｃ面取、バレル研磨等で形成してもよい。また、必要な場合には、溶射、塗装、メッキ等を打球面１４の全体に形成した上から微細凹凸４２を形成することも可能である。
【００３２】
このように形成された本実施形態のゴルフクラブ１０は、ゴルフクラブヘッド１２のフェース１６の打球面１４と、この打球面１４にスコアライン２０を形成する凹溝の側面２０ｂとの間の縁部４０の表面を、打球面１４よりも大きな粗度に形成されることにより、ゴルフボールＢに対するヘッドスピードが大きくなるほど、スコアライン２０の縁部４０の表面にボールＢが強く接触し、打球面１４よりも粗度の大きなこの縁部４２の表面により十分なスピン量を確保し易く、逆に、ヘッドスピードが小さくなるほど、縁部４０の表面との接触力が小さくなり、スピン量を少なくし、ボールＢの飛距離の減少を抑制することができる。これにより、打球したゴルフボールＢの飛距離が安定化すると共にボールＢをコントロールし易くなり、打ち易く操作し易いゴルフクラブ１０を形成することができる。
【００３３】
更に、スコアライン２０の縁部４０の表面に形成される微細凹凸４２が、スコアライン２０に沿って延びる線状に延びる複数本の微細な突条又は溝で形成されることにより、スコアライン２０の延在方向すなわちトウ・ヒール方向に沿う垂直断面内の粗度よりもスコアライン２０に直交するトップ・ソール方向に沿う垂直断面内の粗度が大きく形成されることにより、飛距離を安定させ、操作し易い効果に加え、打球時のフェース１６の動きがアウトサイドからインサイドへ、又は、インサイドからアウトサイドに移動しても、スライス方向やフック方向へのボールの曲がりを少なくし、したがって、方向安定性を確保することができる。
【００３４】
図５は、他の実施形態によるゴルフクラブの打球面の垂直断面図を示す。なお、以下に説明する種々の実施形態は上述の実施形態と基本的には同様であるため、同様な部位には同様な符号を付し、その詳細な説明を省略する。
【００３５】
本実施形態では、スコアライン２０の縁部４０を形成する湾曲面の外延部４０ａに隣接した部位に平坦状部４４を形成してある。この平坦状部４４は、スコアライン２０に沿って延びており、この平坦状部４４は、縁部４０方向に僅かに傾斜しており、したがって、互いに隣接する凹溝間の中央部位よりも凹溝の底面２０ａ側に位置することになる。
【００３６】
この平坦状部４４は、例えば外延部４０ａとの間に０．１〜０．５ｍｍ程度の幅寸法ｐを有する帯状に形成し、その表面にも上記と同様な微細凹凸４２を形成することが好ましい。このような微細凹凸４２に代えて、例えばショットピーニングによる粗面加工を施してもよい。
【００３７】
このような平坦状部４４を縁部４０の湾曲した表面部に沿って形成することにより、実質的に縁部４０の表面が拡大されることになり、更に大きな摩擦抵抗を形成してゴルフボールＢのスピン量を更に増大することが可能となる。
【００３８】
図６は、縁部４０を形成する湾曲面の内縁部４０ｂに隣接する部位に沿って、側面２０ｂに段部４６を形成してある。この段部４６は、内縁部４０ｂよりも、凹溝の対向する側面２０ｂ側に突出しており、その先端４６ａは、上述の接着点Ｃを通る接線よりも側面２０ｂ側に位置する。この段部４６の先端４６ａは丸みを付けることを要しないが、その表面には、上述のような微細な凹凸４２を形成することが好ましい。
【００３９】
このような段部４６を凹溝の側面２０ｂに形成することにより、打球する際に変形したゴルフボールＢと接触するように形成することが好まし。また、このような段部４６は、図示のように断面Ｖ字状形状を有する凹溝に限らず、上述のような断面矩形状の凹溝に設けることも可能である。
【００４０】
図７は、縁部４０の湾曲面と打球面１４との間に稜線４０ｃを形成した実施形態を示す。この稜線４０ｃは、上述の外延部４０ａのように、湾曲面を平坦な打球面１４に滑らかに移行する遷移部を形成するものではなく、縁部４０の湾曲面と打球面１４の平坦面との間で、湾曲の大きさあるいは程度が急激に変化する境界部を形成する。
【００４１】
このような稜線４０ｃは、縁部４０の湾曲面に対して上述の３０度よりも小さな角度θを形成する接線との接触点Ｃ１まで、打球面１４を削り込むことにより、形成することができる。なお、この場合の縁部４０の湾曲面の半径Ｒは、５ｍｍ以下である。
【００４２】
このように打球面１４に稜線４０ｃを形成した場合には、この稜線４０ｃによりゴルフボールＢに大きな摩擦力を与えることができ、ゴルフボールのスピン量を増大することができる。
【００４３】
なお、上述の実施形態は、いずれも縁部４０の表面の粗度を打球面１４よりも大きく、すなわち大きな摩擦抵抗を形成するように形成したものであるが、この縁部４０の表面を凹溝２０の底面２０ａよりも表面硬度を高く形成してもよい。この場合は、長い時間、表面粗度が保てることにより、上述と同様な飛距離および操作性の安定化を図り、更に、方向安定性を図ることができる。また、平坦状部４４も、縁部４０と同じ表面硬度としてもよく、この場合には、摩擦抵抗が大きくなり、ボールのスピン量が増大する。
【００４４】
以上、本発明の好ましい実施形態あるいは変形例について説明したが、本発明は上述の実施形態および変形例に限るものではなく、種々の変形あるいは変更が可能である。例えば、微細凹凸４２を形成する突条や溝は、縁部４０に限らず、凹溝の側面２０ｂおよび底面２０ａの一部又は全体に形成することも可能である。また、打球面１４にも同様に微細凹凸４２を形成し、あるいはショットピーニングを施すことも可能である。この場合には、微細凹凸４２の加工が容易となる。
【符号の説明】
【００４５】
１０…ゴルフヘッド、１２…ゴルフクラブヘッド、１４…打球面、１６…フェース、２０…スコアライン、４０…縁部。
【図１】
2012071213.tif 000003
【図２】
2012071213.tif 000004
【図３】
2012071213.tif 000005
【図４】
2012071213.tif 000006
【図５】
2012071213.tif 000007
【図６】
2012071213.tif 000008
【図７】
2012071213.tif 000009
【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
ゴルフクラブヘッドのフェースの打球面とこの打球面にスコアラインを形成する凹溝の側面との間の縁部の表面に形成した湾曲面と、この湾曲面の打球面側外延部に隣接し、互いに隣接する凹溝間の中央部位よりも凹溝側が凹溝の底面側に傾斜する帯状に形成した平坦状部とを、前記打球面よりも大きな粗度に形成したことを特徴とするゴルフクラブ。
【請求項２】
ゴルフクラブヘッドのフェースの打球面とこの打球面に形成されたスコアラインの凹溝の側面との間の縁部の表面を湾曲面に形成し、この湾曲面と前記打球面の平坦面との間に、湾曲の大きさが急激に変化する稜線を形成したことを特徴とするゴルフクラブ。
【請求項３】
前記縁部の表面に、このスコアラインに沿って延びる複数の微細な突条を形成したことを特徴とする請求項１又は２に記載のゴルフクラブ。
【請求項４】
前記縁部の表面は、凹溝の底面よりも表面硬度が高く形成されていることを特徴とする請求項１から３のいずれか１つに記載のゴルフクラブ。
【手続補正２】
【補正対象書類名】明細書
【補正対象項目名】０００９
【補正方法】変更
【補正の内容】
【０００９】
上記目的を達成する本発明のゴルフクラブは、ゴルフクラブヘッドのフェースの打球面とこの打球面にスコアラインを形成する凹溝の側面との間の縁部の表面に形成した湾曲面と、この湾曲面の打球面側外延部に隣接し、互いに隣接する凹溝間の中央部位よりも凹溝側が凹溝の底面側に傾斜する帯状に形成した平坦状部とを、前記打球面よりも大きな粗度に形成したことを特徴とする。
【手続補正３】
【補正対象書類名】明細書
【補正対象項目名】００１０
【補正方法】変更
【補正の内容】
【００１０】
更に、ゴルフクラブヘッドのフェースの打球面とこの打球面に形成されたスコアラインの凹溝の側面との間の縁部の表面を湾曲面に形成し、この湾曲面と前記打球面の平坦面との間に、湾曲の大きさが急激に変化する稜線を形成したゴルフクラブが提供される。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
ゴルフクラブヘッドのフェースの打球面とこの打球面にスコアラインを形成する凹溝の側面との間の縁部の表面に形成した湾曲面と、この湾曲面の打球面側外延部に隣接し、互いに隣接する凹溝間の中央部位よりも凹溝側が凹溝の底面側に傾斜する帯状に形成した平坦状部とを、前記打球面よりも大きな粗度に形成したゴルフクラブでは、ゴルフボールに対するヘッドスピードが大きくなるほど、スコアラインの縁部の表面にボールが強く接触し、打球面よりも粗度の大きなこの縁部の表面の湾曲面と平坦状部とにより十分なスピン量を確保し易く、逆に、ヘッドスピードが小さくなるほど、縁部の表面の湾曲面と平坦状部との接触力が小さくなり、スピン量を少なくし、ボールの飛距離の減少を抑制することができ、これにより、飛距離が安定化すると共にボールをコントロールし易くなり、打ち易く操作し易いゴルフクラブを形成することができる。
【手続補正６】
【補正対象書類名】明細書
【補正対象項目名】００１５
【補正方法】変更
【補正の内容】
【００１５】
更に、ゴルフクラブヘッドのフェースの打球面とこの打球面に形成されたスコアラインの凹溝の側面との間の縁部の表面を湾曲面に形成し、この湾曲面と前記打球面の平坦面との間に、湾曲の大きさが急激に変化する稜線を形成したゴルフクラブでは、この稜線によりゴルフボールに大きな摩擦力を与えることができ、ゴルフボールのスピン量を増大することができる。
【手続補正７】
【補正対象書類名】明細書
【補正対象項目名】００１６
【補正方法】変更
【補正の内容】
【００１６】
また、縁部の表面に、スコアラインに沿って延びる複数の微細な突条を形成した場合、又は、縁部の表面を凹溝の底面よりも表面硬度を高く形成した場合にも、上述と同様に、飛距離および操作性の安定化を図り、更に、方向安定性を図ることができる。
【手続補正８】
【補正対象書類名】明細書
【補正対象項目名】００２６
【補正方法】変更
【補正の内容】
【００２６】
図３に、フェース１６に形成される打球面１４のトップ２４およびソール３０を結ぶトップ・ソール方向に沿う垂直断面を拡大して示すように、スコアライン２０を形成する凹溝と打球面１４との間に形成される縁部４０がトウ・ヒール方向に沿って、ゴルフボールＢの回転方向と直交する方向に延びている。打球時には、これらの縁部４０がゴルフボールＢの表面に接触し、この縁部４０との間に形成される摩擦抵抗でゴルフボールＢが回転する。したがって、ゴルフボールに与えられるスピン量は、凹溝の断面形状よりも、この縁部４０との間に形成される摩擦抵抗で大きく影響される。このため、スコアライン２０を形成する凹溝は、図示のような矩形断面形状に限らず、打球面１４側に拡大した三角形状又は半円形状等の適宜の断面形状に形成することができる。
【手続補正９】
【補正対象書類名】明細書
【補正対象項目名】００３１
【補正方法】変更
【補正の内容】
【００３１】
このような微細凹凸４２は、適宜の方法で形成することができ、例えば荒引き加工、打こん入れ、荒削り、彫刻、刻印等によりスコアライン２０を形成する際又は凹溝を形成した後に形成してもよく、鍛造や鋳造時に金型で形成することもできる。また、スコアライン２０の凹溝を形成した後に、Ｃ面取、バレル研磨等で形成してもよい。また、必要な場合には、溶射、塗装、メッキ等を打球面１４の全体に形成した上から微細凹凸４２を形成することも可能である。